(57)【特許請求の範囲】
【請求項１】
輻輳処理時端末を選択する方法であって、
既にネットワークにアクセスした各端末の最小予約帯域幅と帯域幅使用率を取得し、且つ閾を設置することと、
輻輳を発生する時、基地局は端末輻輳処理の初期優先レベルを確定し、2つごとに隣接する端末の最小予約帯域幅の相違のパーセンテージと設定された閾との大きさ関係、及び帯域幅使用率によって、端末輻輳処理のセカンダリ優先レベルを取得することと、
得られたセカンダリ優先レベルをソートし、その中から1つ或いは1つ以上の端末を選択して輻輳処理することとを含むことを特徴とする輻輳処理時端末を選択する方法。
【請求項２】
前記既にネットワークにアクセスした各端末の最小予約帯域幅と帯域幅使用率を取得することは、
既にネットワークにアクセスした各端末の最小予約帯域幅と帯域幅使用率を計算することを含み、
その中、前記最小予約帯域幅が、端末のすべての接続の最小予約レートの和と該端末の帯域幅使用率との比の値であり、
前記帯域幅使用率は、初めてアクセスする端末にとって、その帯域幅使用率が端末の変調符号率と（1−α）の積であり、前記αは、メディアアクセス制御サブ層と物理層のオーバーヘッド率であり、初めてのアクセスではない端末にとって、その帯域幅使用率は、端末が単位時間内に伝達したデータ量と単位時間内に配分したタイムスロット数との比の値であることを特徴とする請求項1に記載の輻輳処理時端末を選択する方法。
【請求項３】
前記既にネットワークにアクセスした各端末の最小予約帯域幅と帯域幅使用率を取得することは、
計算して得られた最小予約帯域幅と帯域幅使用率を記録し、且つ既にネットワークにアクセスした各端末の最小予約帯域幅と帯域幅使用率を更新することをさらに含み、
その中、前記既にネットワークにアクセスした各端末の最小予約帯域幅と帯域幅使用率を更新することは、端末のデータ業務接続パラメータ、帯域幅使用率の変化によって、前記最小予約帯域幅を更新することと、
端末の資源配分、端末の変調符号率の変化、業務接続パラメータ、伝送したデータ量及び無線ネットワーク環境の変化によって、前記帯域幅使用率を更新することとであることを特徴とする請求項2に記載の輻輳処理時端末を選択する方法。
【請求項４】
前記基地局が輻輳処理の初期優先レベルを確定するのは、
最小予約帯域幅の大きいから小さいまでの順に従って既にネットワークにアクセした端末をソートし、前記ソートを、既にネットワークにアクセした端末に対し輻輳処理する初期優先レベルとし、且つ前記初期優先レベルを端末リストに記録することであることを特徴とする請求項1に記載の輻輳処理時端末を選択する方法。
【請求項５】
前記の端末輻輳処理のセカンダリ優先レベルを取得することは、
al.端末リストに2つの隣接する端末の最小予約帯域幅の相違のパーセンテージが設定された閾より小さいか否かを判断し、設定された閾より小さいと、前記2つの隣接する端末の帯域幅使用率的の高さを比較し、帯域幅使用率が低い端末を選択してセカンダリ優先レベルが高い端末とし、ステップa2を執行し、
設定された閾より小さくないと、前記2つの隣接する端末輻輳処理のセカンダリ優先レベルと初期優先レベルが同じであり、ステップa2を執行することと、
a2.既にネットワークにアクセしたすべての端末を遍歴済みであるかどうかを判断し、遍歴済みではないと、遍歴ずみでない端末に対しセカンダリ優先レベルの判断を行い、遍歴済みであると、端末輻輳処理のセカンダリ優先レベルを確定することを特徴とする請求項1〜4のいずれか１項に記載の輻輳処理時端末を選択する方法。
【請求項６】
前記の既にネットワークにアクセしたすべての端末を遍歴済みであるかどうかを判断する前に、該方法は、
得られた端末輻輳処理のセカンダリ優先レベルによって、前記セカンダリ優先レベルに対応する端末の端末リストにおけるソートを更新することをさらに含むことを特徴とする請求項5に記載の輻輳処理時端末を選択する方法。
【請求項７】
前記の遍歴済みでない端末に対しセカンダリ優先レベルの判断を行うのは、
前記セカンダリ優先レベルが最も低い端末、及びその後に配列した、それと隣接する端末を選択して今回の遍歴対象とすることと、
今回の遍歴対象の最小予約帯域幅の相違のパーセンテージと設定された閾との間の大きさを判断することとであり、
その中、前記2つの隣接する端末の最小予約帯域幅の相違のパーセンテージは、2つの隣接する端末が要請する最小予約帯域幅の差と2つの隣接する端末における初期優先レベルが高い端末の最小予約帯域幅とのパーセンテージであることを特徴とする請求項6に記載の輻輳処理時端末を選択する方法。
【請求項８】
前記の輻輳処理を行うのは、
選択された端末のネットワーク接続を切断し、或いは選択された端末を隣接セルの基地局に切り替えることであり、
その中、前記の選択された端末を隣接セルの基地局に切り替える輻輳処理方式は、
選択された端末をトリガーして隣接セルの基地局信号を走査し、隣接セルの基地局信号が走査されると、前記選択された端末を前記隣接セルの基地局に切り替えることであることを特徴とする請求項7に記載の輻輳処理時端末を選択する方法。
【請求項９】
輻輳処理時端末を選択する装置であって、
取得ユニット、端末選択ユニットを備え、その中、
取得ユニットは既にネットワークにアクセスした各端末の最小予約帯域幅と帯域幅使用率を取得し、且つ得られた最小予約帯域幅と帯域幅使用率を端末選択ユニットに報告することに用いられ、
端末選択ユニットは、端末の初期優先レベルとセカンダリ優先レベルを確定し，端末輻輳処理のセカンダリ優先レベルによってソートし、1つ或いは1つ以上の端末を選択して輻輳処理することに用いられることを特徴とする輻輳処理時端末を選択する装置。
【請求項１０】
前記取得ユニットは具体的に既にネットワークにアクセスした各端末の最小予約帯域幅と帯域幅使用率を計算、記録及び更新することに用いられ、
該装置は、資源配分ユニット、流量統計ユニット及び輻輳モニタリングユニットをさらに備え、その中、
資源配分ユニットは各の端末または接続のためにデータを伝送する資源を配分し、端末が伝送したデータ量と端末のために配分した資源情報を流量統計ユニット、前記取得ユニット及び前記輻輳モニタリングユニットに送信することに用いられ、
流量統計ユニットは各の端末または接続において伝送したデータ量を周期的に統計し、輻輳を発生する時に、統計データを前記端末選択ユニットに報告することに用いられ、
輻輳モニタリングユニットは基地局が輻輳を発生するか否かをモニタリングし、輻輳を発生する時に、輻輳状態を端末選択ユニットに報告することに用いられることを特徴とする請求項9に記載の輻輳処理時端末を選択する装置。
【請求項１１】
前記端末選択ユニットは初期優先レベル判断サブユニット、閾判断サブユニット、セカンダリ優先レベル判断サブユニット、端末選択サブユニットを備え、その中、
初期優先レベル判断サブユニットは輻輳処理の初期優先レベルを確定することに用いられ、
閾判断サブユニットは、端末リスト中2つごとに隣接する端末の最小予約帯域幅の相違のパーセンテージが設定された閾より小さいか否かを判断し、判断結果をセカンダリ優先レベル判断サブユニットに発送することに用いられ、
セカンダリ優先レベル判断サブユニットは、前記閾判断サブユニットに確定された最小予約帯域幅の相違のパーセンテージが設定された閾より小さいの2つの隣接する端末に対して、該2つの隣接する端末の帯域幅使用率の大きさを比較し、輻輳処理のセカンダリ優先レベルを取得することに用いられ、
端末選択サブユニットは、前記セカンダリ優先レベル判断サブユニットによって確定されたセカンダリ優先レベルによって、1つ或いは1つ以上の端末を選択して輻輳処理することに用いられることを特徴とする請求項9または10に記載の輻輳処理時端末を選択する装置。
【請求項１２】
前記初期優先レベル判断サブユニットは、前記輻輳モニタリングユニットが報告する輻輳状態を受信し、且つ前記取得ユニットから最小予約帯域幅を取得し、及び前記初期優先レベルを記録する端末リストを生成することにさらに用いられ、
前記セカンダリ優先レベル判断サブユニットは、前記取得ユニットから帯域幅使用率を取得し、帯域幅使用率が低い端末を選択してセカンダリ優先レベルが高い端末とし、及び得られたセカンダリ優先レベルによって、対応の端末の端末リストにおけるソートを更新することにさらに用いられることを特徴とする請求項11に記載の輻輳処理時端末を選択する装置。
【発明の詳細な説明】
【技術分野】
【０００１】
本発明は無線通信における輻輳処理分野に関し、特に輻輳処理時端末を選択する方法及び装置に関する。
【背景技術】
【０００２】
伝統的な無線通信システムにおいて、輻輳が発生、或いは輻輳が発生することになるのを予測する場合、一般的に、新たなユーザーまたは新たな接続のアクセスを断り、或いは現在にアクセスしたユーザーまたは接続をリリースする。適応変調符号化（AMC,  Adaptive  Modulation  Coding）とパワー制御技術を引き入れた通信システム、例えば、全世界マイクロ波アクセス相互運用性（WiMAX,  World  Interoperability  for  Microwave  Access）システムに対して、ユーザーまたは端末は現在の信号品質及びパワー制御戦略によって、使用された変調符号率（MPR,  Modulation  Order  Product  Code  Rate）を変更することができ、即ち、異なるMPRを用いるとデータをベアラーする効率が異なるため、無線インタフェイス全体の容量はMPRの異なりに従って巨大な変動を現すことをもたらした。従って、新たなユーザーまたは新たな接続のアクセスを断り、及び現在のユーザーまたは接続をリリースする方法はユーザーのサービス品質（QoS）体験を非常に影響することがあり、輻輳制御の最適化処理方式ではなく、一般的に採用しないほうが良い。
【０００３】
従来、通信システムにおいて、基地局はアクセスした端末に対し切り替えフローをトリガーして、端末を隣接の資源がアイドルの基地局に切り替える輻輳処理方法がよく知され、このように、輻輳の制御処理を実現するとともに、端末に既にアクセスしたユーザーのQoS体験にも影響を与えない。通信システムにおけるそれぞれの端末の輻輳処理の優先レベルを確定する時に、一般的な方法は、要請する最小予約帯域幅が大きな端末であればあるほど、輻輳処理の優先レベルが高いと規定する。しがしながら、アクセスした端末が要請する最小予約帯域幅の間の差異はそれほど大きくない時に、特に、端末が、受信または発射する信号の強度が異なることによって、異なるMPRを採取する場合、及び異なる端末が伝送するデータ量が明らかな差異がある場合、このような最小予約帯域幅の多少のみによって端末の輻輳処理優先レベルを確定する戦略は必ずしも信頼できない。
【０００４】
例えば、共有資源量が2Mである1つの通信システムにおいて、2つのそれぞれ1M資源量を占用する端末A及び端末Bが存在し、輻輳を発生する時に、ある端末を切り替え出し、またはリリースし、その資源がともに残された端末に使用される。端末A及び端末Bが要請する最小予約帯域幅の間の差異が小さいが、端末A及び端末Bが採取したMRPは帯域幅使用率に対する差異が大きい際に、例えば、端末Aの帯域幅使用率がnであるが、端末Bの帯域幅使用率が2nであると、残されたのは端末Aであると、このとき、通信システム総スループットが2nMであり、残されたのは端末Bであると、このとき、通信システム総スループットが4nMである。
【０００５】
このように、最小予約帯域幅の多少のみによって端末の輻輳処理の優先レベルを確定することは必ずしも予期の効果を取得することができなく、ひいては通信システムの性能または資源使用効率に大きな影響を与えてしまう場合がある。
【発明の概要】
【発明が解決しようとする課題】
【０００６】
本発明は上述の事情を鑑みて、通信システムに輻輳を発生する時に、有効に、迅速に、合理で現在各端末の輻輳処理の優先レベルを確定することができる輻輳処理時端末を選択する方法及び装置を提供することを主な目的とする。
【課題を解決するための手段】
【０００７】
上述の目的を達するために、本発明は輻輳処理時端末を選択する方法を公開し、
既にネットワークにアクセスした各端末の最小予約帯域幅と帯域幅使用率を取得し、且つ閾を設置することと、
輻輳を発生する時、基地局は端末輻輳処理の初期優先レベルを確定し、2つごとに隣接する端末の最小予約帯域幅の相違のパーセンテージと設定された閾との大きさ関係、及び帯域幅使用率によって、端末輻輳処理のセカンダリ優先レベルを取得することと、
得られたセカンダリ優先レベルをソートし、その中から1つ或いは1つ以上の端末を選択して輻輳処理することとを含む。
【０００８】
上記方法中、前記既にネットワークにアクセスした各端末の最小予約帯域幅と帯域幅使用率を取得することは、
既にネットワークにアクセスした各端末の最小予約帯域幅と帯域幅使用率を計算することを含み、
その中、前記最小予約帯域幅が、端末のすべての接続の最小予約レートの和と該端末の帯域幅使用率との比の値であり、
前記帯域幅使用率は、初めてアクセスする端末にとって、その帯域幅使用率が端末の変調符号率と（1−α）の積であり、前記αは、メディアアクセス制御サブ層と物理層のオーバーヘッド率であり、初めてのアクセスではない端末にとって、その帯域幅使用率は、端末が単位時間内に伝達したデータ量と単位時間内に配分したタイムスロット数との比の値である。
【０００９】
その中、前記既にネットワークにアクセスした各端末の最小予約帯域幅と帯域幅使用率を取得することは、
計算して得られた最小予約帯域幅と帯域幅使用率を記録し、且つ既にネットワークにアクセスした各端末の最小予約帯域幅と帯域幅使用率を更新することをさらに含み、
その中、前記既にネットワークにアクセスした各端末の最小予約帯域幅と帯域幅使用率を更新することは、端末のデータ業務接続パラメータ、帯域幅使用率の変化によって、前記最小予約帯域幅を更新することと、
端末の資源配分、端末の変調符号率の変化、業務接続パラメータ、伝送したデータ量及び無線ネットワーク環境の変化によって、前記帯域幅使用率を更新することとである。
【００１０】
前記基地局が輻輳処理の初期優先レベルを確定するのは、
最小予約帯域幅の大きいから小さいまでの順に従って既にネットワークにアクセした端末をソートし、前記ソートを、既にネットワークにアクセした端末に対し輻輳処理する初期優先レベルとし、且つ前記初期優先レベルを端末リストに記録することである。
【００１１】
上記方法中、前記の端末輻輳処理のセカンダリ優先レベルを取得することは、
al.端末リストに2つの隣接する端末の最小予約帯域幅の相違のパーセンテージが設定された閾より小さいか否かを判断し、設定された閾より小さいと、前記2つの隣接する端末の帯域幅使用率的の高さを比較し、帯域幅使用率が低い端末を選択してセカンダリ優先レベルが高い端末とし、ステップa2を執行し、
設定された閾より小さくないと、前記2つの隣接する端末輻輳処理のセカンダリ優先レベルと初期優先レベルが同じであり、ステップa2を執行することと、
a2.既にネットワークにアクセしたすべての端末を遍歴済みであるかどうかを判断し、遍歴済みではないと、遍歴ずみでない端末に対しセカンダリ優先レベルの判断を行い、遍歴済みであると、端末輻輳処理のセカンダリ優先レベルを確定する。
【００１２】
その中、前記の既にネットワークにアクセしたすべての端末を遍歴済みであるかどうかを判断する前に、該方法は、
得られた端末輻輳処理のセカンダリ優先レベルによって、前記セカンダリ優先レベルに対応する端末の端末リストにおけるソートを更新することをさらに含む。
【００１３】
前記の遍歴済みでない端末に対しセカンダリ優先レベルの判断を行うのは、
前記セカンダリ優先レベルが最も低い端末、及びその後に配列した、それと隣接する端末を選択して今回の遍歴対象とすることと、
今回の遍歴対象の最小予約帯域幅の相違のパーセンテージと設定された閾との間の大きさを判断することとであり、
その中、前記2つの隣接する端末の最小予約帯域幅の相違のパーセンテージは、2つの隣接する端末が要請する最小予約帯域幅の差と2つの隣接する端末における初期優先レベルが高い端末の最小予約帯域幅とのパーセンテージである。
【００１４】
前記の輻輳処理を行うのは、
選択された端末のネットワーク接続を切断し、或いは選択された端末を隣接セルの基地局に切り替えることであり、
その中、前記の選択された端末を隣接セルの基地局に切り替える輻輳処理方式は、
選択された端末をトリガーして隣接セルの基地局信号を走査し、隣接セルの基地局信号が走査されると、前記選択された端末を前記隣接セルの基地局に切り替えることである。
【００１５】
上記方法を実現するため、本発明は輻輳処理時端末を選択する装置を提供し、
取得ユニット、端末選択ユニットを備え、その中、
取得ユニットは既にネットワークにアクセスした各端末の最小予約帯域幅と帯域幅使用率を取得し、且つ得られた最小予約帯域幅と帯域幅使用率を端末選択ユニットに報告することに用いられ、
端末選択ユニットは、端末の初期優先レベルとセカンダリ優先レベルを確定し，端末輻輳処理のセカンダリ優先レベルによってソートし、1つ或いは1つ以上の端末を選択して輻輳処理することに用いられる。
【００１６】
上記装置に、前記取得ユニットは具体的に既にネットワークにアクセスした各端末の最小予約帯域幅と帯域幅使用率を計算、記録及び更新することに用いられ、
該装置は、資源配分ユニット、流量統計ユニット及び輻輳モニタリングユニットをさらに備え、その中、
資源配分ユニットは各の端末または接続のためにデータを伝送する資源を配分し、端末が伝送したデータ量と端末のために配分した資源情報を流量統計ユニット、前記取得ユニット及び前記輻輳モニタリングユニットに送信することに用いられ、
流量統計ユニットは各の端末または接続において伝送したデータ量を周期的に統計し、輻輳を発生する時に、統計データを前記端末選択ユニットに報告することに用いられ、
輻輳モニタリングユニットは基地局が輻輳を発生するか否かをモニタリングし、輻輳を発生する時に、輻輳状態を端末選択ユニットに報告することに用いられる。
【００１７】
上記装置に、前記端末選択ユニットは初期優先レベル判断サブユニット、閾判断サブユニット、セカンダリ優先レベル判断サブユニット、端末選択サブユニットを備え、その中、
初期優先レベル判断サブユニットは輻輳処理の初期優先レベルを確定することに用いられ、
閾判断サブユニットは、端末リスト中2つごとに隣接する端末の最小予約帯域幅の相違のパーセンテージが設定された閾より小さいか否かを判断し、判断結果をセカンダリ優先レベル判断サブユニットに発送することに用いられ、
セカンダリ優先レベル判断サブユニットは、前記閾判断サブユニットに確定された最小予約帯域幅の相違のパーセンテージが設定された閾より小さいの2つの隣接する端末に対して、該2つの隣接する端末の帯域幅使用率の大きさを比較し、輻輳処理のセカンダリ優先レベルを取得することに用いられ、
端末選択サブユニットは、前記セカンダリ優先レベル判断サブユニットによって確定されたセカンダリ優先レベルによって、1つ或いは1つ以上の端末を選択して輻輳処理することに用いられる。
【００１８】
その中、前記初期優先レベル判断サブユニットは、前記輻輳モニタリングユニットが報告する輻輳状態を受信し、且つ前記取得ユニットから最小予約帯域幅を取得し、及び前記初期優先レベルを記録する端末リストを生成することにさらに用いられ、
前記セカンダリ優先レベル判断サブユニットは、前記取得ユニットから帯域幅使用率を取得し、帯域幅使用率が低い端末を選択してセカンダリ優先レベルが高い端末とし、及び得られたセカンダリ優先レベルによって、対応の端末の端末リストにおけるソートを更新することにさらに用いられる。
【発明の効果】
【００１９】
以上の技術方案から明らかように、本発明の輻輳処理時端末を選択する方法及び装置は、通信システムが輻輳を発生する時に、適当な輻輳処理端末を選択することができ、さらに輻輳処理の性能と有効性を向上できる。具体的に、先に端末をそれぞれの最小予約帯域幅の大きさに従って、大きいから小さいまでソートすることによって初期優先レベルを確定し、即ち最小予約帯域幅が大きな端末であればあるほど、輻輳処理を行う優先レベルが高く、次に、すでに確定した初期優先レベルの端末において、隣接する2つの端末が要請する最小予約帯域幅の相違のパーセンテージが閾kより小さいと、端末の帯域幅使用率の高さによってセカンダリ優先レベルの確定を行い、このとき、帯域幅使用率が低い端末であればあるほど、輻輳処理の優先レベルが高い。このように、端末の輻輳処理のセカンダリ優先レベルをさらに確定することによって、有効に、合理で端末を選択して輻輳処理することができ、最小予約帯域幅の相違が大きくない2つの端末において帯域幅使用率が高い端末を切り替えし、或いは接続を中断する等の輻輳処理操作を回避させ、このように、輻輳処理の性能と有効性を向上でき、同時に、資源を十分に利用でき、資源の使用効率を向上させる。
【００２０】
また、基地局は各端末の最小予約帯域幅と帯域幅使用率を計算または更新した後、通信システムが輻輳を発生する時、迅速に端末を輻輳処理する優先レベルを確定することができるように、得られたデータを記憶することになる。
【００２１】
これによって、本発明は資源占用量と帯域幅使用率の両方から十分に端末の特性を考え、端末の優先レベルをセカンダリソートすることによって、さらに、合理で、有効に、快速に端末を選び出して輻輳処理することができ、輻輳処理の性能と有効性を向上するとともに、資源の十分な利用を実現する。
【図面の簡単な説明】
【００２２】
【図１】は本発明における端末とネットワークとが接続を確立及びデータの伝送を行うことを実現するフロー模式図である。
【図２】は本発明における輻輳処理時端末を選択する方法を実現するフロー模式図である。
【図３】は本発明における輻輳処理時端末を選択する装置の実施例の構成模式図である。
【発明を実施するための形態】
【００２３】
本発明は、通信システム輻輳を発生する時、先に端末をそれぞれの最小予約帯域幅の大きさに従って、大きいから小さいまでソートして初期優先レベルを確定し、即ち最小予約帯域幅が大きな端末であればあるほど、輻輳処理を行う優先レベルが高いことを基本的な考えとする。優先レベルが初期確定された2つの隣接する端末が要請する最小予約帯域幅の相違のパーセンテージが閾kより小さいと、端末の帯域幅使用率の高さによってセカンダリ優先レベルの確定を行い、このとき、帯域幅使用率が低い端末であればあるほど、輻輳処理の優先レベルが高い。
【００２４】
説明する必要なのは、本発明が端末を輻輳処理する優先レベルは初期優先レベルとセカンダリ優先レベルを含むことである。
【００２５】
本発明の上記目的、特徴及び利点をより明らかに分かるように、以下で、添付図面及び具体的な実施例を参照して本発明をさらに詳細に説明する。
【００２６】
端末はネットワークとの接続を確立を要請する時に、基地局が端末の資源占用量を計算して記録することになり、且つ端末の接続要請に対し受け入れ判断をする。ここで、前記の端末の資源占用量は最小予約帯域幅と最大予約帯域幅等を含む。1つの端末は複数の接続を確立できるため、端末が要請するネットワークと接続確立するのは端末の初回アクセスでもよく、ネットワークに既にアクセした端末が元の接続のもとでまた新たな接続を確立することでもよい。
【００２７】
その中、前記最小予約帯域幅は、端末のすべての接続の最小予約レートの和と該端末帯域幅使用率との比の値である。前記最小予約帯域幅の具体的な計算過程は以下の通りである。
【００２８】
基地局は、端末が始めてアクセスを請求、または新たな接続が確立する時に、端末または接続が要請した最小予約帯域幅を計算し、該最小予約帯域幅
【００２９】
【数１】
0005214822.tif 000002
【００３０】
の計算方法は公式（1）に示すように、
【００３１】
【数２】
0005214822.tif 000003
【００３２】
公式（1）中、
【００３３】
【数３】
0005214822.tif 000004
【００３４】
が端末iのj番目の接続の最小予約レートを表し、その中、i、j、Nがともに自然数であり、且つjの取る値が1、2…Nであり、
【００３５】
【数４】
0005214822.tif 000005
【００３６】
は端末iが帯域幅に対する使用効率、即ち端末iの帯域幅使用率を表し、
【００３７】
【数５】
0005214822.tif 000006
【００３８】
が端末iの最小予約帯域幅、即ち第一回の選別を経てから輻輳処理を行う優先レベルを表す。
【００３９】
説明する必要なのは、端末が業務フローを確立または改正する時に、基地局が端末の関連情報を記憶することになり、これらの端末の関連情報は、MPR、業務接続パラメータ等を含む。その中、該業務接続パラメータは
【００４０】
【数６】
0005214822.tif 000007
【００４１】
等を含み、
【００４２】
【数７】
0005214822.tif 000008
【００４３】
が端末iのj番目の接続の最大予約レートを表す。
【００４４】
ここで、端末が最初にアクセスする時、端末が採取したMPRによって
【００４５】
【数８】
0005214822.tif 000009
【００４６】
を近似推算する。その中、端末が受信または発射する信号の強度が異なるため異なるMPRを採取することから、基地局が該端末が受信または発射する信号の強度によって該端末のためにMPRを配分し、異なるMPRを採用する端末がベアラーできるデータ量の効率も異なる。端末が最初にアクセスする時、その帯域幅使用率の推算方法は公式（2）に示すように、
【００４７】
【数９】
0005214822.tif 000010
【００４８】
在公式（2）中、MPRは端末が採取した変調符号率であり、αはメディアアクセス制御(MAC)サブ層と物理層（PHY）のオーバーヘッド率を表し、取る値範囲が0~100(単位：％)である。ここで、αは経験または一般的なルールによって確定され、例えば、実際に最も多く採用した接続タイプ、伝送データパケットのタイプによって、MACサブ層と物理層のオーバーヘッドを確定できる。また、αは基地局の1つの配置パラメータとしてもよく、1つの一定の値でもよく、直接にプログラムに書き入れられる。
【００４９】
端末の最小予約帯域幅を算出した後、該端末が要請する接続に対し受け入れ制御判断を行い、即ち、端末が要請する最小予約帯域幅が通信システムのアイドル資源より大きいと、端末がアクセス、或いは接続を確立するのを許可しない。逆に、要請する最小予約帯域幅が通信システムのアイドル資源より大きいと、端末のアクセス、或いは接続を確立するのを許可し、正常なデータ伝送を行う。
【００５０】
具体的な実現において、具体的に選択した受け入れ制御策略によって、受け入れ制御アルゴリズムを修改する。一般的に、良く知られた受け入れ制御判断アルゴリズムは公式（3）に示すように、
総利用可能資源×β≧既にアクセスした接続が要請する資源+新たに要請する資源                                              （3）
公式（3）中、係数βは通信システムにおけるアイドル資源が通信システムの総利用可能資源に占める比重を表し、βの取る値範囲が0%〜100%であり、通信システムの総可用資源×βは通信システムのアイドル資源を表し、βの具体的な取る値は通信システムの予約する必要なアイドル資源によって決める。βの取る値が大きいほど、通信システムのアイドル資源が大きい。
【００５１】
アクセスした接続が要請する資源+新たに要請する資源は端末が要請した資源を表し、その中、不等式右側の「資源」は資源占有量、即ち最小予約帯域幅または最大予約帯域幅を代表する。従って、公式（3）は、即ち、通信システムのアイドル資源は端末が要請した資源より大きいまたはそれと等しいと、端末がネットワークにアクセス、或いは要請した、ネットワークに接続を確立するのを許可することを表す。
【００５２】
例えば、公式（3）中で、不等式右側の「資源」が最小予約帯域幅を取ると、採用した受け入れ制御アルゴリズムは、通信システムの総利用可能資源×β≧端末がアクセスした接続が要請する最小予約帯域幅+端末が新に要請する最小予約帯域幅であると、通信システムのアイドル資源が端末が要請する最小予約帯域幅より大きいまたはそれと等しく、即ち端末のアクセスした接続が要請する最小予約帯域幅+端末が新たに要請する最小予約帯域幅より大きいまたはそれと等しいと、端末がネットワークにアクセス、或いは、要請したネットワークに接続を確立するのを許可する。
【００５３】
ここで、受け入れ制御策略を変更してもよく、即ち公式（3）において不等式右側の「資源」が最大予約帯域幅を採用する。このとき、公式（3）を適当に修改することによって採用した受け入れ制御アルゴリズムを取得できると、通信システムの総利用可能資源×β≧端末の既にアクセスした接続が要請する最大予約帯域幅+端末が新たに要請する最大予約帯域幅に変更する。その中、該最大予約帯域幅の計算方法は公式（1）に現れる原理と同じで、ただ公式（1）における最小予約レート
【００５４】
【数１０】
0005214822.tif 000011
【００５５】
を最大予約レート
【００５６】
【数１１】
0005214822.tif 000012
【００５７】
に取替え、具体的に最大予約帯域幅
【００５８】
【数１２】
0005214822.tif 000013
【００５９】
を計算する過程は公式(4)に示すように、
【００６０】
【数１３】
0005214822.tif 000014
【００６１】
公式（4）中、
【００６２】
【数１４】
0005214822.tif 000015
【００６３】
が端末iのj番目の接続の最大予約レートを表し、その中、i、j、Nがともに自然数であり、且つjの取る値が1、2…Nであり、
【００６４】
【数１５】
0005214822.tif 000016
【００６５】
が端末iの帯域幅使用率を表し、
【００６６】
【数１６】
0005214822.tif 000017
【００６７】
が端末iの最大予約帯域幅、即ち第一回の選別を経てから輻輳処理を行う優先レベルを表す。
【００６８】
ここで、説明する必要なのは、帯域幅使用率の計算方法であり、主な計算過程は以下の通りである。
【００６９】
前記帯域幅使用率は、初めてアクセスした端末にとって、その帯域幅使用率が端末の変調符号率と（1−α）の積であり、その中、該αが、メディアアクセス制御サブ層と物理層のオーバーヘッド率であり、初めてのアクセスでない端末に対して、その帯域幅使用率が、端末が単位時間内に伝達したデータ量と単位時間内に配分したタイムスロット数の比の値である。具体的な説明は以下の通りである。
【００７０】
端末が始めてアクセス、或いは新たな接続を確立した後、基地局は各端末または接続が無線インタフェイス資源に対する使用状況を検出することがあって、即ち、ある統計時間内に、基地局は各の端末または接続が伝送したデータ量、配分された帯域幅等情報によって、各端末の帯域幅使用率を周期的に統計する。初めてアクセスする端末iに対して、公式（2）によって該端末の帯域幅使用率
【００７１】
【数１７】
0005214822.tif 000018
【００７２】
を推算でき、初めてのアクセスでない端末iの帯域幅使用率に対して、公式（5）に示すように計算方法を採用し、
【００７３】
【数１８】
0005214822.tif 000019
【００７４】
公式（5）中、
【００７５】
【数１９】
0005214822.tif 000020
【００７６】
は端末iがある統計時間内での帯域幅使用効率を表し、
【００７７】
【数２０】
0005214822.tif 000021
【００７８】
は単位時間内に端末毎が伝送したデータ量を表し、該
【００７９】
【数２１】
0005214822.tif 000022
【００８０】
の単位がbitである。ある統計時間内に、例えば、1秒で、基地局は端末iのためにスケジューリングしたサービスデータユニット（SDU,  Service  Data  Unit）の数を統計することによって、単位時間内に各端末が伝送したデータ量
【００８１】
【数２２】
0005214822.tif 000023
【００８２】
を計算して取得する。その中、SDUの数量が実際に伝送するデータ量に相当し、MACサブ層と物理層のオーバーヘッドを含まない。公式（5）中、
【００８３】
【数２３】
0005214822.tif 000024
【００８４】
は単位時間内に配分したタイムスロット（Slot）数を表し、ここで、基地局は業務接続パラメータ、即ちQoSパラメータ、現在伝送したデータ量、端末のMPR等情報によって、該端末に対応するタイムスロットを配分し、基地局が統計時間内に、端末iのために配分するSlot数を統計し、次に単位時間内に配分したタイムスロット数
【００８５】
【数２４】
0005214822.tif 000025
【００８６】
を計算して取得する。ここで、前記統計時間及び統計周期は一般的には通信システムの性能、及び実際の通信過程に積み重ねた経験によって設定される。
【００８７】
そして、端末がネットワークにアクセスし、或いはネットワークに順調に接続を確立するのを許可されると、基地局は、直後の過程に、例えば、データを伝送する操作において、端末MPRの変化、業務接続パラメータ等の変化によって、公式（1）、（5）を結合して端末または接続が要請した最小予約帯域幅を適時に更新することになる。端末の資源配分、MPRの変化、業務接続パラメータ、伝送したデータ量及び無線ネットワーク環境の変化によって、公式（5）を結合して前記帯域幅使用率を更新する。
【００８８】
ここで、最小予約帯域幅及び帯域幅使用率を適時に更新するのは、帯域幅配分の最小単位がslotであり、各slotが無線ネットワーク環境とMPRの変化に従ってベアラーできるデータ量の相違も大きく、つまり、異なるMPR採用する端末がベアラーできるデータ量の効率が異なるためである。例えば、タウンリンクを例とし、採用したMPRがQPSK-1/2である場合、各slotが48bitをベアラーでき、採用したMPRが64QAM-5/6である場合、各slotが240bitをベアラーでき、QPSK-1/2を採用する場合より略4倍高い。
【００８９】
また、基地局は各端末を上述の計算または更新を行った後、通信システムが輻輳を発生する時、迅速に各端末に対し輻輳処理する優先レベルを確定することができるように、得られた最小予約帯域幅と帯域幅使用率のデータを記録することになる。
【００９０】
以下で、図1を参照し、本発明における端末がネットワークに接続してデータ伝送する実現フローについて説明し、本実施例が最小予約帯域幅で資源占有量を表し、具体的なステップが以下の通りである。
【００９１】
ステップ101、端末がネットワークにアクセスするのを要請し、或いは新たな接続を確立するのを要請し、
ステップ102、基地局は公式（1）によって端末が要請した最小予約帯域幅を計算し、
このステップでは、要請した最小予約帯域幅を計算するのは、実際にはステップ103の需要を満足し、該最小予約帯域幅を受け入れ制御判断策略とするためである。
【００９２】
ステップ103、基地局は受け入れアルゴリズム公式（3）によって受け入れ判断を行い、端末がネットワークにアクセス、或いはネットワークと新たな接続を確立するのを許可するか否かを判断し、許可すると、ステップ104に入り、許可しないと、現在フローを終了する。
【００９３】
ステップ104、端末がネットワークにアクセス、或いはネットワークと新たな接続を確立し、
ステップ105、端末がネットワークとの間にデータ伝送を行い、
ステップ106、データ伝送の過程中に、基地局が端末の最小予約帯域幅と帯域幅使用率を適時に更新する。
【００９４】
データ伝送の過程中に、基地局は伝送したデータ量及び配分した帯域幅によって、端末が必要の最小予約帯域幅と帯域幅使用率を公式（1）、（5）によって相応の更新を行う。
【００９５】
上述は本発明が輻輳処理のために行った予備作業であり、通信システムが輻輳を発生する時に、迅速に端末の優先レベルを確定することができるように、最小予約帯域幅と帯域幅使用率を計算、更新、記録する。以下で、基地局が端末の輻輳処理の優先レベルを確定する実現過程について説明し、図2を参照し、本発明における輻輳処理時端末を選択する方法の実現フローを示し、主に以下のステップを含む。
【００９６】
ステップ201、各端末の最小予約帯域幅と帯域幅使用率を取得し、
このステップでは、既にネットワークにアクセスした各端末の最小予約帯域幅と帯域幅使用率を取得する操作は、既にネットワークにアクセスした各端末の最小予約帯域幅と帯域幅使用率を計算、記録及び更新することを含む。ここで、ネットワークにアクセした端末的最小予約帯域幅と帯域幅使用率を計算、記録且つ適時に更新する方法は、上述の最小予約帯域幅と帯域幅使用率を計算、記録及び更新する関連説明を参照し、ここで特に説明しない。
【００９７】
ここで、前記の適時に更新するとは、端末が無線ネットワーク環境とMPR等の変化する時に、基地局が端末に対応する最小予約帯域幅と帯域幅使用率を更新することである。
【００９８】
ステップ202、通信システムが輻輳を発生する時、基地局が既にネットワークにアクセスした端末に対し輻輳処理を行う初期優先レベルを確定し、該初期優先レベルを記録する端末リストを生成し、
通信システムが輻輳を発生するのをモニタリングした時に、基地局はネットワークにアクセした端末が要請した最小予約帯域幅によって前記初期優先レベルを確定し、前記初期優先レベルを確定する規則は、計算して得られた最小予約帯域幅において、最小予約帯域幅が大きな端末であればあるほど、輻輳処理の初期優先レベルが高く、さらに、端末を輻輳処理する初期優先レベルを取得する。
【００９９】
具体的に、基地局は算出した最小予約帯域幅に従って、既にネットワークにアクセスした各端末を大きいから小さいまでソートし、最小予約帯域幅が大きな端末であればあるほど、輻輳処理の初期優先レベルが高い。そして、基地局は初期優先レベルのソート結果によって端末リストを生成し、即ち、端末リストによって既にネットワークにアクセスした端末の初期優先レベルを記録する。ここで、主に2つの以上の端末を選択して輻輳処理を行う必要である場合に対して、既にネットワークにアクセスした各端末を初期優先レベルのソートを行う。実際に、1つの端末を選択して輻輳処理する時に、処理時間を短縮し、輻輳処理の効率を向上するために、既にネットワークにアクセスした各端末を初期優先レベルのソートを行わなくても良い。つまり、基地局は、後続の最小予約帯域幅差の比較を行うように、算出した最小予約帯域幅から最小予約帯域幅最大と2番目大きな端末を選択することができる。この場合、端末リストには1番目にある最小予約帯域幅の最大の端末と2番目にある最小予約帯域幅の2番目大きな端末だけがあることができる。
【０１００】
説明する必要なのは、端末リストには端末の初期優先レベル順序を記録していて、本実施例は該端末リストに記録された端末の初期優先レベル順番を設定し、高いから低いまで配列し、且つ本実施例は端末が端末リストにおける配列番号を各端末のコードとして、即ち1番目に位置する端末1の初期優先レベルは2番目に位置する端末2の初期優先レベルより高いことである。
【０１０１】
また、基地局は具体的な輻輳判決アルゴリズムを採取することによって通信システムが輻輳を発生するか否かをモニタリング、判断する。ここで、基地局は元の資源配分情報を取得することによって通信システムが輻輳を発生するか否かをモニタリング、判断し、例えば、単位時間内に端末が資源を要請する回数、満足した回数、満足できない回数、或いは、総要請資源量、そのうち満足した量、断った量等であり、通信システムにおける資源が不足であるか否か、及び資源の不足程度等を判断し、さらに、採用した輻輳判決アルゴリズムを結びつけて通信システムに輻輳が発生するか否かを判断する。実際に、通信システムが輻輳を発生するか否かをいかに判断するかには、本実施例はこれに対し限定しないのは、本実施例は輻輳が発生した後、いかに端末を選択して輻輳処理することに注目するためである。
【０１０２】
ステップ203、端末リストに隣接する2つの端末の最小予約帯域幅の相違のパーセンテージが設定された閾より小さいか否かを判断し、設定された閾より小さいと、ステップ204を執行し、設定された閾より小さくないと、ステップ205を執行し、
既に初期優先レベルを確定した端末において、各端末はその初期優先レベルに従って高いから低いまで配列するから、配列する隣接の2つの端末の最小予約帯域幅の相違が大きくなく、即ち該隣接する2つの端末の最小予約帯域幅の相違のパーセンテージが設定された閾より小さいと、端末自身の特性、例えば、帯域幅使用率を十分に考える必要があり、且つ前記帯域幅使用率によってセカンダリ優先レベルの確定を行い、そのうちから帯域幅使用率が低い端末を選択して輻輳処理し、このとき、帯域幅使用率が低い端末であればあるほど、輻輳処理のセカンダリ優先レベルが高い。
【０１０３】
その中、前記閾は基地局が端末セカンダリ優先レベルを計算する時に帯域幅使用率が占めた1つの比重であり、従って、前記閾は予め帯域幅使用率がセカンダリ優先レベルを計算する時に占めた比重によって設定されることができる。つまり、隣接する2つの端末の最小予約帯域幅の相違が大きくない場合、設定された閾が大きいほど、端末セカンダリ優先レベルを計算する時に帯域幅使用率を多く考えたことを意味する。
【０１０４】
隣接する2つの端末の最小予約帯域幅が数値上に差異が大きい時、即ち隣接する2つの端末の最小予約帯域幅の相違のパーセンテージが設定された閾より小さくないと、端末自身の特性を無視し、最小予約帯域幅が大きい端末を優先的に選択して輻輳処理する。このとき、この2つの隣接する端末の輻輳処理のセカンダリ優先レベルはそれらの初期優先レベルと同じで、配列位置と配列シリアルナンバーの更新を行う必要がなく、次の組の2つの隣接する端末の最小予約帯域幅の相違のパーセンテージの判断に転入する。その中、前記2つの隣接する端末の最小予約帯域幅の相違のパーセンテージは、2つの隣接する端末が要請する最小予約帯域幅の差と2つの隣接する端末における初期優先レベルが高い端末の最小予約帯域幅とのパーセンテージである。ここで、前記次の組の2つの隣接する端末は、端末リストにセカンダリ優先レベルが最も低い端末と該端末の後にを配列して且つ該端末に隣接する端末である。
【０１０５】
説明する必要なのは、1つの端末のみを選択して輻輳処理する場合に対して、基地局は初期優先レベルが最大、2番目大きな端末を選択することによって、二者のセカンダリ優先レベルを確定すれば良く、端末リストにおける各端末をセカンダリ優先レベルのソートを行う必要がないことである。
【０１０６】
例えば、隣接する2つの端末は端末iと端末（i+1）を例として、基地局は端末リストに隣接する端末iと端末（i+1）の最小予約帯域幅差
【０１０７】
【数２５】
0005214822.tif 000026
【０１０８】
が条件
【０１０９】
【数２６】
0005214822.tif 000027
【０１１０】
を満足するか否かを判断し、該条件を満足すると、ステップ204を執行し、該条件を満足しないと、ステップ205を執行する。その中、前記最小予約帯域幅の相違のパーセンテージは、端末iが要請する最小予約帯域幅
【０１１１】
【数２７】
0005214822.tif 000028
【０１１２】
と端末（i+1）が要請する最小予約帯域幅
【０１１３】
【数２８】
0005214822.tif 000029
【０１１４】
との差
【０１１５】
【数２９】
0005214822.tif 000030
【０１１６】
が
【０１１７】
【数３０】
0005214822.tif 000031
【０１１８】
とのパーセンテージである。端末iと端末（i+1）の最小予約帯域幅差
【０１１９】
【数３１】
0005214822.tif 000032
【０１２０】
の計算方法は公式（6）に示すように、
【０１２１】
【数３２】
0005214822.tif 000033
【０１２２】
公式（6）中、
【０１２３】
【数３３】
0005214822.tif 000034
【０１２４】
が端末iと端末（i+1）の最小予約帯域幅差を表し、
【０１２５】
【数３４】
0005214822.tif 000035
【０１２６】
が端末iが要請する最小予約帯域幅であり、
【０１２７】
【数３５】
0005214822.tif 000036
【０１２８】
が端末（i+1）が要請する最小予約帯域幅である。
【０１２９】
【数３６】
0005214822.tif 000037
【０１３０】
であると、端末iと端末（i+1）の最小予約帯域幅の相違が大きくないのを意味し、従って、さらに端末iと端末（i+1）の帯域幅使用率によってこの2つの隣接する端末の輻輳処理のセカンダリ優先レベルを確定する必要がある。
【０１３１】
公式（7）中、kは基地局が設置した閾であり、基地局が輻輳処理する時に使用する1つのパラメータであり、kの取る値範囲が0~100%であり、すべての端末と接続に適用される。K値は通信システムが端末の輻輳処理の優先レベルを考える時に傾いた角度、即ち最小予約帯域幅に傾くか、或いは帯域幅使用率に傾くかを表す。ここで、k値が大きいほど、端末の輻輳処理の優先レベルを確定する時に帯域幅使用率に多くに傾くのを表し、k値を、帯域幅使用率が端末の輻輳処理の優先レベルを計算する時に占めた比重と見なす。従って、kを合理に設置する必要があり、閾kの取る値が大き過ぎると、端末を輻輳処理する優先レベルに帯域幅使用率が過大に影響することをもたらし、kの取る値が小さく過ぎると、端末を輻輳処理する優先レベルへの帯域幅使用率の影響を十分に考えることができない。一般的に、kが1つの経験値であり、且つ基地局がk値を配置する時に、一般的にk値を30%以内に制御すべきである。
【０１３２】
ステップ204、基地局は端末リストに隣接する2つの端末の帯域幅使用率の大さを比較し、比較結果によってこの2つの端末を輻輳処理するセカンダリ優先レベルを取得し、得られたセカンダリ優先レベルによって対応の端末の端末リストにおけるソートを更新し、次に、ステップ205を執行し、
その中、帯域幅使用率が低い端末であればあるほど、輻輳処理のセカンダリ優先レベルが高く、即ち、端末（i+1）の帯域幅使用率
【０１３３】
【数３７】
0005214822.tif 000038
【０１３４】
が端末iの帯域幅使用率
【０１３５】
【数３８】
0005214822.tif 000039
【０１３６】
より小さいと、端末（i+1）のセカンダリ優先レベルが端末iのセカンダリ優先レベルより高い。このとき、端末（i+1）と端末iは端末リストにおける配列シリアルナンバーを交換し、且つ端末（i+1）の端末リストにおけるソート位置が端末iの前に更新される。例えば、端末リストにおける端末1と端末2を比較してから、端末2のセカンダリ優先レベルが端末1のセカンダリ優先レベルより高く、そこで、端末2は端末1と端末リストにおける配列位置と配列シリアルナンバーを交換し、端末リストにおける1番目に位置し、即ち元端末2が今回の比較の後の端末1に更新され、元端末1が今回の比較の後の端末2に更新されることになる。このように、得られたセカンダリ優先レベルによって対応の端末をソートする。比較した後ごとに、得られたセカンダリ優先レベルによって前記セカンダリ優先レベルに対応する端末の端末リストにおけるソートを更新することによって、端末を輻輳処理するセカンダリ優先レベルを取得する。
【０１３７】
ステップ205、基地局が既にネットワークにアクセスしたすべての端末を遍歴済みか否かを判断し、既にネットワークにアクセスしたすべての端末を遍歴済みでなかった場合、ステップ203に戻し、遍歴済みでなかった端末に対しセカンダリ優先レベルの判断を行い、既にネットワークにアクセスしたすべての端末を遍歴済みである場合、ステップ206を執行し、
前記遍歴済みでなかった端末をセカンダリ優先レベルの判断を行う過程は、現在端末リストにセカンダリ優先レベルがもっとも低い端末の後に遍歴しない端末が存在することは既にネットワークにアクセしたすべての端末を遍歴済みでないことであることと、該セカンダリ優先レベルが最も低い端末を選択し、該セカンダリ優先レベルが最も低い端末の後に配列し、且つ該セカンダリ優先レベルが最も低い端末に隣接する端末は今回の遍歴の対象であることと、今回の遍歴対象の最小予約帯域幅の相違のパーセンテージと設定された閾との間の大きさを判断し、即ち選択された遍歴対象に対しステップ203の操作を執行することとを含む。
【０１３８】
今回帯域幅使用率を比較する2つの隣接する端末は端末iと端末（i+1）であると、ステップ203に入る次の組の端末は更新した後の端末（i+1）と端末（i+2）であり、例えば、元端末2はその自身のセカンダリ優先レベルが元端末1のセカンダリ優先レベルより高く、原端末2が原端末1と、端末リストにおける配列位置と配列シリアルナンバーを交換することになり、輻輳処理のセカンダリ優先レベルを比較及び確定し続く場合、比較する端末は更新した後の端末2と端末3であり、つまり、元端末1と端末3である。
【０１３９】
ステップ206、基地局は確定した端末輻輳処理のセカンダリ優先レベルによって1つ或いは1つ以上の端末を選択して輻輳処理し、今回の端末の選択フローを終了し、輻輳処理フローに転入する。
【０１４０】
上記端末選択フローによって輻輳処理を行うセカンダリ優先レベルを確定した後、基地局は具体的な選択策略を制定し、1つまたは複数の端末を選択して輻輳処理することができる。選択した端末数が端末総数に占めるパーセンテージp%を設定すると、端末輻輳処理のセカンダリ優先レベル順序によって、セカンダリ優先レベルが高い端末から先のp％の端末を選択し、或いは、基地局は端末を選択する数量nを直接に設定すると、セカンダリ優先レベルソートにおける先のnの端末を選択する。
【０１４１】
また、前記輻輳処理を行うには具体的に、選択された端末のネットワーク接続を切断し、或いは選択された端末を隣接セルの基地局に切り替えることであり、ここで、前記選択された端末を隣接セルの基地局に切り替える輻輳処理方式は、選択された端末をトリガーして隣接セルの基地局信号を走査し、隣接セルの基地局信号走査すると、該選択された端末を該隣接セルの基地局に切り替えるものである。その中、複数の端末を選択して輻輳処理する原因は、選択した端末を隣接セルの基地局に切り替える輻輳処理措置を採用する時に、切り替え過程中に失敗し、或いは端末に断られる場合があり、切り替えが必ず成功することではないため、輻輳処理する時に複数の端末を選択し、選択した端末を同時に切り替えフローを始めることができ、或いは、現在輻輳程度が厳しい際に、複数の端末を選択して同時に輻輳処理することによって、このように、輻輳処理の力を増加し、より速く輻輳を解決する目的に達するようになるためである。
【０１４２】
上述のそれぞれの実施例について、簡単に説明するために、それらをともに一連の動作組合せに説明するが、当業者にとっては、本発明は上述の動作順序に限られなく、本発明によれば、あるステップが他の順序を採用し、或いは同時に行うことができる。
【０１４３】
上述方法を実現するために、本発明はさらに輻輳処理時端末を選択する装置を提供し、図3を参照し、該装置300は取得ユニット301、端末選択ユニット305を備える。その中、
取得ユニット301は、それぞれ既にネットワークにアクセスした端末の最小予約帯域幅と帯域幅使用率を取得することに用いられ、具体的に、それぞれ既にネットワークにアクセスした端末の最小予約帯域幅と帯域幅使用率を計算、記録し、記録した最小予約帯域幅と帯域幅使用率を更新し、得られた最小予約帯域幅と帯域幅使用率を端末選択ユニット305に報告することに用いられ、
端末選択ユニット305は、取得ユニット301が報告したデータを結びつけることによって端末の初期優先レベルとセカンダリ優先レベルを確定し、端末の輻輳処理のセカンダリ優先レベルによってソートし、1つ或いは1つ以上の端末を選択して輻輳処理することに用いられる。
【０１４４】
該装置300はさらに、資源配分ユニット302、流量統計ユニット303及び輻輳モニタリングユニット304を備える。その中、
資源配分ユニット302は、各端末または接続にデータを伝送する資源を配分し、端末が伝送したデータ量と該端末のために配分する資源情報を前記取得ユニット301、流量統計ユニット303及び輻輳モニタリングユニット304に送信することに用いられる。同時に、資源の配分情報を端末選択ユニット305に報告し、
流量統計ユニット303は、各端末または接続に伝送したデータ量を周期的に統計し、且つ輻輳が発生する時に、統計データを端末選択ユニット305に報告することに用いられ、
輻輳モニタリングユニット304は、基地局が輻輳を発生するか否かをモニタリングし、輻輳を発生する時に、輻輳状態を端末選択ユニット305に報告することに用いられる。
【０１４５】
上述装置において、前記端末選択ユニット305はさらに、初期優先レベル判断サブユニット3051、閾判断サブユニット3052、セカンダリ優先レベル判断サブユニット3053、端末選択サブユニット3054を備える。その中、
初期優先レベル判断サブユニット3051は、輻輳処理の初期優先レベルを確定することに用いられ、
閾判断サブユニット3052は端末リストに2つごとに隣接する端末の最小予約帯域幅の相違のパーセンテージが設定された閾より小さいか否かを判断し、且つ判断結果をセカンダリ優先レベル判断サブユニット3053に送信することに用いられ、
セカンダリ優先レベル判断サブユニット3053は、前記取得ユニット301から閾判断サブユニット3052によって確定した、最小予約帯域幅の相違のパーセンテージが閾より小さい2つの隣接する端末の帯域幅使用率を取得し、該2つの隣接する端末の帯域幅使用率の大きさを比較することによって、輻輳処理のセカンダリ優先レベルを取得することに用いられる。
【０１４６】
その中、前記2つの隣接する端末の最小予約帯域幅の相違のパーセンテージは、2つの隣接する端末が要請する最小予約帯域幅の差と2つの隣接する端末における初期優先レベルが高い端末の最小予約帯域幅とのパーセンテージである。最小予約帯域幅の相違のパーセンテージが設定された閾より小さい時に、帯域幅使用率が小さい端末輻輳処理のセカンダリ優先レベルが高い。
【０１４７】
その中、前記初期優先レベル判断サブユニット3051は、前記輻輳モニタリングユニット報告した輻輳状態を受信し、取得ユニット301から最小予約帯域幅を取得し、及び上記初期優先レベルを記録する端末リストを生成することにさらに用いられる。前記初期優先レベル判断サブユニット3051は取得ユニット301から最小予約帯域幅を取得した後、最小予約帯域幅が大きい端末を選択して初期優先レベルが高い端末とし、且つ確定した初期優先レベル順序を端末リストに記録する。
【０１４８】
その中、前記セカンダリ優先レベル判断サブユニット3053は、前記取得ユニット301から帯域幅使用率を取得し、帯域幅使用率が低い端末を選択してセカンダリ優先レベルが高い端末とし、及び得られたセカンダリ優先レベルによって対応の端末の端末リストにおけるソートを更新することにさらに用いられる。
【０１４９】
その中、端末選択サブユニット3054は、前記セカンダリ優先レベル判断サブユニット3053が確定したセカンダリ優先レベルによって1つ或いは1つ以上の端末を選択して輻輳処理することに用いられる。
【０１５０】
上記の実施例において、それぞれ実施例に対する説明はそれぞれ重点があり、ある実施例において詳述しない部分について、他の実施例の関連説明を参照すればよい。上述のように、本発明の好ましい実施例に過ぎなく、本発明を説明、解釈するものだけであり、本発明の保護範囲を限定するものではない。本発明の精神と請求項の保護範囲内におけるいずれの修改、等同切替はすべて本発明の保護範囲にある。
【図１】
0005214822.tif 000040
【図２】
0005214822.tif 000041
【図３】
0005214822.tif 000042